(57)【要約】【課題】ハウジングの複数の端子収容室が複数列状に配設された防水コネクタにおいて、防水性を低下させることなく、リヤホルダの組付け作業性を向上させることができる防水コネクタを提供する。【解決手段】ハウジング２に組付けられて防水部材６５のハウジング２からの脱落を防止するリヤホルダ５は、電線６１を挟んで互いの合わせ面３７を合わせて合体し、合わせ面３７を合わせた状態で電線６１を収容する電線収容部を形成する２つの合体部材３，３からなる。電線収容部は、合わせ面３７側から電線６１を進入させて保持するスリット３３を有し、スリット３３の最深部３２に至る導入部３４の開口幅が、最深部３２の開口幅より狭く形成されており、導入部３４の側方に、合わせ面３７から延びる撓み用スリット３５が形成されている。【選択図】図２
2020061274.tif 000002
【特許請求の範囲】
【請求項１】
電線に接続された端子を収容する複数の端子収容室が複数列状に配設されたハウジングと、このハウジングと前記電線との間に設けられて前記ハウジングの内部と外部とを区画する防水部材と、前記ハウジングに組付けられて前記防水部材の前記ハウジングからの脱落を防止するリヤホルダとを備えた防水コネクタであって、
前記リヤホルダは、前記電線を挟んで互いの合わせ面を合わせて合体し、前記合わせ面を合わせた状態で前記電線を収容する電線収容部を形成する２つの合体部材からなり、
前記電線収容部は、前記合わせ面側から前記電線を進入させて保持するスリットを有し、
前記スリットの最深部に至る導入部の開口幅が、前記最深部の開口幅より狭く形成されており、
前記導入部の側方に、前記合わせ面から延びる撓み用スリットが形成されている
ことを特徴とする防水コネクタ。
【請求項２】
請求項１に記載の防水コネクタであって、
前記導入部の開口端に、誘い込みのテーパが形成されている
ことを特徴とする防水コネクタ。
【請求項３】
請求項１又は２に記載の防水コネクタであって、
２つの前記合体部材は、前記合わせ面を合わせた状態で対称形状となって係合し、互いの合体状態を保持する係合部が設けられている
ことを特徴とする防水コネクタ。
【請求項４】
請求項１〜３の何れか１項に記載の防水コネクタであって、
２つの前記合体部材は、前記合わせ面の両端部における合わせ部が前記ハウジングの凹部に係合し、互いの合体状態が保持されている
ことを特徴とする防水コネクタ。
【発明の詳細な説明】
【技術分野】
【０００１】
本発明は、防水コネクタに関する。
【背景技術】
【０００２】
従来、防水コネクタとしては、電線に接続された端子を収容するハウジングと、このハウジングと電線との間に設けられてハウジングの内部と外部とを区画する防水部材と、ハウジングに組付けられて防水部材のハウジングからの離脱を防止するリヤホルダとを備えたものが知られている（特許文献１参照）。
【０００３】
このような防水コネクタでは、リヤホルダが、電線を挟んで互いの合わせ面を合わせて合体し、合わせ面を合わせて状態で電線を収容する電線収容部を形成する２つの合体部材からなる。この合体部材には、半円状の凹部が形成され、２つの合体部材を合体させることにより、円筒状の電線収容部が形成される。
そこで、防水コネクタを組み立てる際には、リヤホルダの複数の貫通孔に電線を先通しする必要がなく、リヤホルダを後はめすることができるので、作業性が向上する。
【先行技術文献】
【特許文献】
【０００４】
【特許文献１】特開２０１３−２３９３６４号公報
【発明の概要】
【発明が解決しようとする課題】
【０００５】
しかしながら、上記防水コネクタの構成では、ハウジングの複数の端子収容室が複数列状に配設されることにより、リヤホルダを挿通する複数の電線が複数列複数段状に配設される場合、電線収容部を形成する凹部が半円状ではなく、電線径と同等の開口幅を有して合わせ面から大きく凹んだ略長円状に形成しなければならない。そのため、電線収容部と電線との間には、電線径と同等の開口幅を有する開口部分が生じてしまう。そこで、高圧洗浄水などの外力がこの開口部分を介して防水部材に及び、防水部材の防水性を低下させる可能性がある。そこで、従来の防水コネクタでは、ハウジングの複数の端子収容室が複数列状に配設される場合、リヤホルダに形成した複数の貫通孔に電線を先通しするしかなく、リヤホルダの組付け作業性がよくなかった。
【０００６】
本発明は上記状況に鑑みてなされたもので、その目的は、ハウジングの複数の端子収容室が複数列状に配設された防水コネクタにおいて、防水性を低下させることなく、リヤホルダの組付け作業性を向上させることができる防水コネクタを提供することにある。
【課題を解決するための手段】
【０００７】
本発明に係る上記目的は、下記構成により達成される。
（１）  電線に接続された端子を収容する複数の端子収容室が複数列状に配設されたハウジングと、このハウジングと前記電線との間に設けられて前記ハウジングの内部と外部とを区画する防水部材と、前記ハウジングに組付けられて前記防水部材の前記ハウジングからの脱落を防止するリヤホルダとを備えた防水コネクタであって、前記リヤホルダは、前記電線を挟んで互いの合わせ面を合わせて合体し、前記合わせ面を合わせた状態で前記電線を収容する電線収容部を形成する２つの合体部材からなり、前記電線収容部は、前記合わせ面側から前記電線を進入させて保持するスリットを有し、前記スリットの最深部に至る導入部の開口幅が、前記最深部の開口幅より狭く形成されており、前記導入部の側方に、前記合わせ面から延びる撓み用スリットが形成されていることを特徴とする防水コネクタ。
【０００８】
上記（１）の構成の防水コネクタによれば、合体部材にそれぞれ形成された電線収容部におけるスリットの最深部は、挿通された電線を保持するために電線径と同等または若干小さい開口幅を有するように形成されている。また、スリットの導入部は、最深部の開口幅より狭い開口幅を有するように形成されている。ここで、スリットの導入部は、側方に形成された撓み用スリットにより弾性変形可能とされて拡幅することができるので、電線径に対して開口幅を小さく設定することができる。
そこで、それぞれの合体部材に形成された電線収容部のスリットに合わせ面側から電線を進入させ、導入部を押し広げなら最深部に移動させることで、それぞれの合体部材は電線が電線収容部を貫通した状態とされる。そして、これら合体部材の互いの合わせ面を合わせて合体したリヤホルダは、ハウジングに組付けられて防水部材の脱落を防止することができる。この際、少なくとも防水部材に対向するリヤホルダの開口部分は電線径に対して開口幅が小さいスリットのみであり、電線径と同等の開口幅を有する開口部分が生じることはない。そこで、リヤホルダは、高圧洗浄水などの外力が防水部材に及ぶ影響を減らすことができる。
従って、本構成の防水コネクタは、リヤホルダを挿通する複数の電線が複数列状に配設される場合であっても、防水性を低下させることなくリヤホルダを２つの合体部材で構成することができるので、リヤホルダの組付け作業性を向上させることができる。
【０００９】
（２）  上記（１）に記載の防水コネクタであって、前記導入部の開口端に、誘い込みのテーパが形成されていることを特徴とする防水コネクタ。
【００１０】
上記（２）の構成の防水コネクタによれば、スリットの導入部に合わせ面側から電線を進入させる際、開口端に誘い込みのテーパが形成されているので、電線は導入部を押し広げながらスリット内に容易に進入することができる。
なお、誘い込みのテーパにより画成された開口は、防水部材に対向する位置に配置されないので、高圧洗浄水などの外力がこの開口を介して防水部材に及ぶことはない。
【００１１】
（３）  上記（１）又は（２）に記載の防水コネクタであって、２つの前記合体部材は、前記合わせ面を合わせた状態で対称形状となって係合し、互いの合体状態を保持する係合部が設けられていることを特徴とする防水コネクタ。
【００１２】
上記（３）の構成の防水コネクタによれば、合体部材は、合わせ面を合わせた状態で対称形状となって係合し、互いの合体状態を保持する係合部が設けられている。そこで、２つの同一形状の合体部材であっても係合部によって互いの合体状態を保持することができる。従って、本構成の防水コネクタは、リヤホルダを１種類の合体部材によって構成することができるので、部品点数及び製造コストを低減することができる。
【００１３】
（４）  上記（１）〜（３）の何れか一つに記載の防水コネクタであって、２つの前記合体部材は、前記合わせ面の両端部における合わせ部が前記ハウジングの凹部に係合し、互いの合体状態が保持されていることを特徴とする防水コネクタ。
【００１４】
上記（４）の構成の防水コネクタによれば、リヤホルダを構成する２つの合体部材は、合わせ面の両端部における合わせ部がハウジングの凹部に係合して互いの合体状態が保持される。そこで、２つの合体部材の合わせ面に隙間が生じるのが抑えられ、２つの合体部材を強固に結合することができる。
【発明の効果】
【００１５】
本発明に係る防水コネクタによれば、ハウジングの複数の端子収容室が複数列状に配設された防水コネクタにおいて、防水性を低下させることなく、リヤホルダの組付け作業性を向上させることができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係る防水コネクタの斜視図である。
【図２】図１に示した防水コネクタの分解斜視図である。
【図３】図１に示した防水コネクタのＩＩＩ−ＩＩＩ線に沿った断面図である。
【図４】（ａ）は図２に示した上側の合体部材を背面側から見た斜視図、（ｂ）は図２に示した上側の合体部材を正面側から見た斜視図である。
【図５】（ａ）は図２に示した下側の合体部材を背面側から見た斜視図、（ｂ）は図２に示した下側の合体部材を正面側から見た斜視図である。
【図６】リヤホルダをハウジングに取り付ける手順を説明する防水コネクタの斜視図である。
【図７】（ａ）〜（ｃ）は電線をリヤホルダの電線収容部におけるスリットに進入させる際の作用を説明する要部拡大図である。
【図８】リヤホルダをハウジングに取り付ける手順を説明する防水コネクタの斜視図である。
【図９】リヤホルダをハウジングに取り付ける手順を説明する防水コネクタの斜視図である。
【図１０】リヤホルダがハウジングに取り付けられた状態を示す防水コネクタの背面図である。
【図１１】（ａ）及び（ｂ）は参考例に係る防水コネクタの斜視図及び背面図である。
【発明を実施するための形態】
【００１８】
以下、本発明に係る実施形態を図面を参照して説明する。
図１は、本発明の一実施形態に係る防水コネクタ１の斜視図である。図２は、図１に示した防水コネクタ１の分解斜視図である。図３は、図１に示した防水コネクタ１のＩＩＩ−ＩＩＩ線に沿った断面図である。
【００１９】
図１〜図３に示すように、本実施形態に係る防水コネクタ１は、電線６１に接続された端子６３を収容する複数の端子収容室２１が複数列状に配設されたハウジング２と、このハウジング２と電線６１との間に設けられてハウジング２の内部と外部とを区画する防水部材６５と、ハウジング２に組付けられて防水部材６５のハウジング２からの脱落を防止するリヤホルダ５とを備えている。
【００２０】
ハウジング２は、電気絶縁性の合成樹脂から成形されたものであり、複数（本実施形態では６つ）の端子収容室２１が横方向に３個並んだ列が上下２列にわたり配設されている。ハウジング２は、端部に端子６３を圧着した電線６１が挿入される後側に、リヤホルダ用収容空間２５と、リヤホルダ用収容空間２５の奥側に隣接する防水材用収容空間２３と、防水材用収容空間２３の奥側に隣接する端子収容室２１とを有するように形成されている。ハウジング２の上面には、図示しない相手側コネクタのロック突起を係止して相手側コネクタとの嵌合状態を保持するロックアーム２６が設けられている。
【００２１】
端子６３は、導電性金属材料から形成されたもので、円筒形状に形成されたメス端子である。端子６３は、ハウジング２の前方に形成された端子収容室２１に収容されている。端子収容室２１に収容された６３端子は、ハウジング２の先端に設けられたガイド部２７の係止ランス２８に係止される。そして、ガイド部２７の先端外周にパッキン６が装着された後、ガイド部２７の先端には、係止ランス２８の係止解除方向の移動を規制するフロントホルダ４が固定される。端子６３は、その接続穴がガイド部２７のガイド孔に連通されている。先端にフロントホルダ４が固定されたガイド部２７のガイド孔には、図示しない相手側端子（オス端子）が挿通可能とされる。
また、端子６３は、その後端側の圧着部に、ハウジング２の後端開口から引き出される電線６１の導体が圧着されて電気的に接続されている。ハウジング２の後端開口から引き出される電線６１には防水部材６５が装着され、ハウジング２に対して液密にシールされる。
【００２２】
防水部材６５は、ゴム栓からなり、内周が電線６１の外周に密着された状態で、ハウジング２の防水材用収容空間２３の内周面に密着されてハウジング２と電線６１との間をシールしてハウジング２の内部と外部とを区画する。このような防水部材６５は、ハウジング２の防水材用収容空間２３に装着され、ハウジング２の後端開口に組付けられたリヤホルダ５によって離脱が規制される。
【００２３】
図４の（ａ）は図２に示した上側の合体部材３を背面側から見た斜視図、図４の（ｂ）は図２に示した上側の合体部材３を正面側から見た斜視図である。図５の（ａ）は図２に示した下側の合体部材３を背面側から見た斜視図、図５の（ｂ）は図２に示した下側の合体部材３を正面側から見た斜視図である。
【００２４】
リヤホルダ５は、図１に示すように、電気絶縁性の合成樹脂からなり、略矩形板状に形成された１種類の合体部材３を２つ、電線６１を挟んで互いの合わせ面３７を合わせて合体させることによって構成されている。
【００２５】
この合体部材３には、図４の（ａ）及び図５の（ａ）に示すように、合わせ面３７側から反対側に延びる３本のスリット３３が形成されている。スリット３３は、電線６１が挿通される円形の最深部３２と、最深部３２に至る溝状の導入部３４とを有する。
スリット３３の最深部３２は、挿通された電線６１を保持するために電線径と同等または若干小さい開口幅（内径）を有する貫通孔として形成されている。電線６１を最深部３２に進入させるためのスリット３３の導入部３４は、開口幅が最深部３２の開口幅より狭く形成されている。図４及び図５に示すように、導入部３４の開口幅は、電線径に対して極めて小さく設定されている。スリット３３の導入部３４の開口端には、誘い込みのテーパ３４ａが形成されている。
【００２６】
更に、スリット３３の導入部３４の側方には、合わせ面３７から延びる撓み用スリット３５が形成される。撓み用スリット３５は、各導入部３４の両側にそれぞれ平行に延びるように形成されている。そこで、スリット３３の導入部３４は、側方に形成された撓み用スリット３５により両側縁部が弾性変形可能とされて拡幅することができる。
【００２７】
そして、それぞれ３本のスリット３３が形成された２つの合体部材３，３を合体させることにより、電線６１を一対ずつ収容する３つの電線収容部が画成される。即ち、合わせ面３７を合わせて合体されることにより、上側の合体部材３におけるスリット３３と、対向する下側の合体部材３におけるスリット３３とによって、上下端の最深部３２にそれぞれ電線６１が貫通する３つの電線収容部がリヤホルダ５に画成される。
【００２８】
更に、合体部材３の前面側には、図４の（ｂ）及び図５の（ｂ）に示すように、電線６１が挿通される挿通孔３９を有する円筒状の押圧部３１が突設されている。挿通孔３９は、スリット３３の最深部３２に連通している。
【００２９】
２つの合体部材３，３が合体されたリヤホルダ５の上縁及び下縁（合体部材３の合わせ面３７と反対側の縁）には、それぞれロック片４１が形成されている。ロック片４１は、後方に開口した枠状に形成され、前方に向けて片持ち梁状に突出形成されており、ロック片４１の突出端側が上下方向に弾性撓み可能とされている。ロック片４１は、ハウジング２の後端部における上下面に突設された係止突起２９に係止される。
【００３０】
係止突起２９は、合体部材３の押圧部３１がハウジング２のリヤホルダ用収容空間２５に挿入されたときにロック片４１を撓ませ、リヤホルダ５がハウジング２に組付けられたときにロック片４１を係止する。
【００３１】
このロック片４１と係止突起２９の係止により、リヤホルダ５のハウジング２への組付け状態が保持され、リヤホルダ５がハウジング２から脱落することがなく、リヤホルダ５によって防水部材６５のハウジング２からの脱落を確実に防止することができる。
【００３２】
リヤホルダ５の右側縁及び左側縁における各合体部材３の合わせ面３７の両端部には、それぞれ合わせ部４３が突出形成されている。合わせ面３７が合わせられた各対の合わせ部４３は、ハウジング２の後端部における両側縁に形成され凹部２２にそれぞれ係合し、ハウジング上下方向（図１中、上下方向）から挟持される。そこで、２つの合体部材３，３は、互いの合体状態が確実に保持される。
【００３３】
また、図４及び図５に示すように、リヤホルダ５の上縁及び下縁には、ロック片４１の両側の位置において、４つの係合突起４５が前方に向けて突出形成されている。係合突起４５は、ハウジング２の後端部における上下縁の両端に形成され４つの凹部２４にそれぞれ係合する。係合突起４５が凹部２４にそれぞれ係合されることにより、リヤホルダ５はハウジング２に対してハウジング左右方向（図１中、左右方向）に位置決めされる。
【００３４】
更に、合体部材３には、合わせ面３７を合わせた状態で対称形状となって係合し、互いの合体状態を保持する一対の係合部３０が設けられる（図１０、参照）。係合部３０は、合わせ面３７における３本のスリット３３の間に設けられている。
係合部３０は、Ｌ字型又は逆Ｌ字型の係合突起３６と、この係合突起３６が挿入されるＬ字型又は逆Ｌ字型の係合凹部３８とを有する。更に、係合部３０は、電線６１の長さ方向から互いの合わせ面３７を合わせるように合体部材３，３同士を近接させ、係合突起３６が係合凹部３８に挿入されて係合される。
【００３５】
このように２つの合体部材３，３が合わせ面３７を合わせて合体している状態では、それぞれの合体部材３に形成した係合突起３６と係合凹部３８とが係合することにより、合体部材３，３が合わせ面３７から離れる方向の移動や合わせ面３７に沿って移動することを防止でき、合体部材３，３の合体状態を保持することができる。
【００３６】
次に、図６〜図１０に基づいて本実施形態の防水コネクタ１に係るリヤホルダ５をハウジング２の後端部に取り付ける手順を説明する。
図６は、リヤホルダ５をハウジング２に取り付ける手順を説明する防水コネクタ１の斜視図、図７の（ａ）〜（ｃ）は電線６１をリヤホルダ５の電線収容部におけるスリット３３に進入させる際の作用を説明する要部拡大図である。図８及び図９は、リヤホルダ５をハウジング２に取り付ける手順を説明する防水コネクタ１の斜視図である。図１０は、リヤホルダ５がハウジング２に取り付けられた状態を示す防水コネクタ１の背面図である。
【００３７】
先ず、図６に示すように、電線６１の端部に圧着された端子６３が、それぞれハウジング２の端子収容室２１に収容される。ハウジング２の後端開口からは、３本並んだ上下２列の電線６１が引き出された状態となる。そして、上列の３本の電線６１が上側の合体部材３のスリット３３にそれぞれ挿入され、下列の３本の電線６１が下側の合体部材３のスリット３３にそれぞれ挿入される。
【００３８】
図７の（ａ）に示すように、合体部材３に形成された電線収容部のスリット３３に合わせ面３７側から電線６１を進入させる。導入部３４の開口端には、誘い込みのテーパ３４ａが形成されているので、電線６１は導入部３４を押し広げながらスリット３３内に容易に進入することができる。
図７の（ｂ）に示すように、スリット３３の導入部３４は、側方に形成された撓み用スリット３５により弾性変形可能とされて拡幅することができる。そこで、導入部３４を押し広げなら電線６１を最深部３２に移動させることができる。
図７の（ｃ）に示すように、電線６１がスリット３３の最深部３２まで移動すると、スリット３３の導入部３４は電線径に対して極めて小さい元の開口幅に戻る。
【００３９】
そして、図８に示すように、それぞれの合体部材３は、電線６１が電線収容部としてのスリット３３を貫通した状態とされる。
次に、図９に示すように、電線６１の長さ方向から互いの合わせ面３７を合わせるように合体部材３，３同士が近接され、係合突起３６が係合凹部３８に挿入されて係合部３０が係合される。そこで、合体された２つの合体部材３，３によりリヤホルダ５が構成される。
【００４０】
その後、電線６１の長さ方向に沿ってリヤホルダ５がハウジング２の後端開口に向けて移動され、押圧部３１がハウジング２のリヤホルダ用収容空間２５に挿入される。リヤホルダ用収容空間２５に挿入されたリヤホルダ５の押圧部３１は、図３に示したように、防水材用収容空間２３内に収容されている防水部材６５の離脱を規制する。
【００４１】
ハウジング２の後端開口に取付けられたリヤホルダ５は、係合突起４５がハウジング２の凹部２４に係合され、ハウジング２に対してハウジング左右方向に位置決めされる。また、リヤホルダ５は、左右両端部における各対の合わせ部４３がハウジング２の凹部２２に係合されてハウジング上下方向から挟持されることで、２つの合体部材３，３の左右両端部における互いの合体状態が確実に保持される。
そして、リヤホルダ５は、上下一対のロック片４１がハウジング２の係止突起２９にそれぞれ係止されることにより、ハウジング２への組付け状態が保持される。
【００４２】
図１０に示すように、ハウジング２の後端開口に取付けられたリヤホルダ５は、少なくとも防水材用収容空間２３内に収容された防水部材６５に対向するリヤホルダ５の開口部分は電線径に対して開口幅が小さいスリット３３の導入部３４のみである。
即ち、合体部材３に形成された撓み用スリット３５や、導入部３４の開口端に形成された誘い込みのテーパ３４ａにより画成された開口（上側の合体部材３のスリット３３の開口端と下側の合体部材３のスリット３３の開口端とで画成されたひし形の開口）は、防水部材６５に対向する位置に配置されないので、高圧洗浄水などの外力がこの開口を介して防水部材６５に及ぶことはない。
【００４３】
図１１の（ａ）及び（ｂ）は、参考例に係る防水コネクタ１０１の斜視図及び背面図である。なお、防水コネクタ１０１は、リヤホルダ５に代えてリヤホルダ１０５を用いた以外は上記防水コネクタ１と同様の構成を有するので、同様の構成部材については、同符号を付して詳細な説明を省略する。
【００４４】
図１１の（ａ）及び（ｂ）に示すように、リヤホルダ１０５は、略矩形板状に形成された１種類の合体部材１０３を２つ、電線６１を挟んで互いの合わせ面３７を合わせて合体させることによって構成されている。
この合体部材１０３には、電線径と同等の開口幅を有して合わせ面３７から大きく凹んだ略長円状の凹部１３３が形成されている。
【００４５】
そこで、２つの合体部材１０３を合体させることにより構成されたリヤホルダ１０５は、図１１に示すように、一対の凹部１３３により画成された電線収容部と電線６１との間に、電線径と同等の開口幅を有する開口部分が生じる。そこで、高圧洗浄水などの外力がこの開口部分を介して防水部材６５に及び、防水部材６５の防水性を低下させる可能性がある。
【００４６】
これに対し、本実施形態に係る防水コネクタ１のリヤホルダ５は、図１０に示したように、少なくとも防水部材６５に対向するリヤホルダ５の開口部分は電線径に対して開口幅が小さいスリット３３の導入部３４のみであり、電線径と同等の開口幅を有する開口部分が生じることはない。そこで、リヤホルダ５は、高圧洗浄水などの外力が防水部材６５に及ぶ影響を減らすことができる。
【００４７】
次に、本実施形態に係る防水コネクタ１の作用について説明する。
本実施形態に係る防水コネクタ１によれば、合体部材３にそれぞれ形成された電線収容部におけるスリット３３の最深部３２は、挿通された電線６１を保持するために電線径と同等または若干小さい開口幅を有するように形成されている。また、スリット３３の導入部３４は、最深部３２の開口幅より狭い開口幅を有するように形成されている。ここで、スリット３３の導入部３４は、側方に形成された撓み用スリット３５により弾性変形可能とされて拡幅することができるので、電線径に対して開口幅を小さく設定することができる。
【００４８】
そこで、それぞれの合体部材３に形成された電線収容部のスリット３３に合わせ面３７側から電線６１を進入させ、導入部３４を押し広げなら最深部３２に移動させることで、それぞれの合体部材３は電線６１が電線収容部を貫通した状態とされる。そして、これら合体部材３，３の互いの合わせ面３７を合わせて合体したリヤホルダ５は、ハウジング２に組付けられて防水部材６５の脱落を防止することができる。この際、少なくとも防水部材６５に対向するリヤホルダ５の開口部分は電線径に対して開口幅が小さいスリット３３のみであり、電線径と同等の開口幅を有する開口部分が生じることはない。そこで、リヤホルダ５は、高圧洗浄水などの外力が防水部材６５に及ぶ影響を減らすことができる。
【００４９】
従って、本実施形態の防水コネクタ１は、リヤホルダ５を挿通する複数の電線６１が複数列状に配設される場合であっても、防水性を低下させることなくリヤホルダ５を２つの合体部材３，３で構成することができるので、リヤホルダ５の組付け作業性を向上させることができる。
【００５０】
また、本実施形態に係る防水コネクタ１によれば、スリット３３の導入部３４に合わせ面３７側から電線６１を進入させる際、開口端に誘い込みのテーパ３４ａが形成されているので、電線６１は導入部３４を押し広げながらスリット３３内に容易に進入することができる。
【００５１】
また、本実施形態に係る防水コネクタ１によれば、２つの合体部材３，３は、合わせ面３７を合わせた状態で対称形状となって係合し、互いの合体状態を保持する係合部３０が設けられている。そこで、２つの同一形状の合体部材３であっても係合部３０によって互いの合体状態を保持することができる。従って、本構成の防水コネクタ１は、リヤホルダ５を１種類の合体部材３によって構成することができるので、部品点数及び製造コストを低減することができる。
【００５２】
また、本実施形態に係る防水コネクタ１によれば、リヤホルダ５を構成する２つの合体部材３，３は、合わせ面３７の両端部における合わせ部４３がハウジング２の凹部２２に係合して互いの合体状態が保持される。そこで、２つの合体部材３，３の合わせ面３７に隙間が生じるのが抑えられ、２つの合体部材３，３を強固に結合することができる。
【００５３】
従って、本発明に係る防水コネクタに１よれば、ハウジング２の複数の端子収容室２１が複数列状に配設された防水コネクタにおいて、防水性を低下させることなく、リヤホルダ５の組付け作業性を向上させることができる。
【００５４】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
ここで、上述した本発明に係る防水コネクタの実施形態の特徴をそれぞれ以下［１］〜［４］に簡潔に纏めて列記する。
［１］  電線（６１）に接続された端子（６３）を収容する複数の端子収容室（２１）が複数列状に配設されたハウジング（２）と、このハウジング（２）と前記電線との間に設けられて前記ハウジングの内部と外部とを区画する防水部材（６５）と、前記ハウジングに組付けられて前記防水部材の前記ハウジングからの脱落を防止するリヤホルダ（５）とを備えた防水コネクタであって、
前記リヤホルダは、前記電線を挟んで互いの合わせ面（３７）を合わせて合体し、前記合わせ面を合わせた状態で前記電線を収容する電線収容部を形成する２つの合体部材（３，３）からなり、
前記電線収容部は、前記合わせ面側から前記電線を進入させて保持するスリット（３３）を有し、
前記スリットの最深部（３２）に至る導入部（３４）の開口幅が、前記最深部の開口幅より狭く形成されており、
前記導入部の側方に、前記合わせ面から延びる撓み用スリット（３５）が形成されている
ことを特徴とする防水コネクタ（１）。
［２］  上記［１］に記載の防水コネクタであって、
前記導入部（３４）の開口端に、誘い込みのテーパ（３４ａ）が形成されている
ことを特徴とする防水コネクタ（１）。
［３］  上記［１］又は［２］に記載の防水コネクタであって、
２つの前記合体部材（３，３）は、前記合わせ面（３７）を合わせた状態で対称形状となって係合し、互いの合体状態を保持する係合部（３０）が設けられている
ことを特徴とする防水コネクタ（１）。
［４］  上記［１］〜［３］の何れか一つに記載の防水コネクタであって、
２つの前記合体部材（３，３）は、前記合わせ面（３７）の両端部における合わせ部（４３）が前記ハウジングの凹部（２２）に係合し、互いの合体状態が保持されている
ことを特徴とする防水コネクタ（１）。
【符号の説明】
【００５６】
１…防水コネクタ
３…合体部材
５…リヤホルダ
２１…端子収容室
３２…最深部
３３…スリット
３４…導入部
３５…撓み用スリット
３７…合わせ面
６１…電線
６３…端子
６５…防水部材
【図１】
2020061274.tif 000003
【図２】
2020061274.tif 000004
【図３】
2020061274.tif 000005
【図４】
2020061274.tif 000006
【図５】
2020061274.tif 000007
【図６】
2020061274.tif 000008
【図７】
2020061274.tif 000009
【図８】
2020061274.tif 000010
【図９】
2020061274.tif 000011
【図１０】
2020061274.tif 000012
【図１１】
2020061274.tif 000013